(57)【要約】【課題】１つの映像の一部分を複数のディスプレイに表示して複数のディスプレイの画面全体で１つの映像を拡大して表示する際に、予め映像を分割して保持させておく必要なく、簡易な操作を行うだけでマルチディスプレイによるスクロール表示を行うことができるようにする。【解決手段】ディスプレイ（１０）のメモリ（１１）は、同じスクロール映像を記憶し、同期化回路（２０）は、インタフェース回路（１２）に対して、スクロール映像のフレーム順にフレーム位置を指示する制御信号を順次送信する。インタフェース回路（１２）は、制御信号により指示されたフレーム位置の映像データをメモリ（１１）から読み出して表示部（１３）に表示させる。制御信号は、ディスプレイ（１０）間で、スクロール映像のフレーム間隔が一定間隔離れた位置のフレーム位置を指示する制御信号である。【選択図】図１
2015200701.tif 000002
【特許請求の範囲】
【請求項１】
映像データを記憶する記憶部と、映像データを表示させる表示部と、前記記憶部から映像データを読み出して前記表示部に表示させるインタフェース回路部と、を備えたディスプレイ装置を複数備えるとともに、各前記ディスプレイ装置の前記インタフェース回路部に対して、前記複数のディスプレイ装置の前記表示部に表示させる映像を同期化するための制御信号を出力する同期化制御部と、を有し、
各前記ディスプレイ装置の前記記憶部は、表示対象物が時間経過に従ってスクロールされる同じスクロール映像を記憶し、
前記同期化制御部は、前記ディスプレイ装置の前記インタフェース回路部に対して、前記スクロール映像のフレーム順にフレーム位置を指示する制御信号を順次送信し、
前記インタフェース回路部は、前記制御信号により指示されたフレーム位置の映像データを前記記憶部から読み出して前記表示部に表示させ、
前記制御信号は、前記ディスプレイ装置間で、前記スクロール映像のフレーム間隔が一定間隔離れた位置のフレーム位置を指示する制御信号であること、を特徴とするマルチディスプレイシステム。
【請求項２】
請求項１に記載のマルチディスプレイシステムにおいて、
前記スクロール映像により表示対象がスクロールするとき、前記スクロール映像のフレーム間隔は、一つの前記ディスプレイ装置に表示させるスクロール映像の表示対象と、該一つのディスプレイ装置に並列配置された他の一つの前記ディスプレイ装置に表示させるスクロール映像の表示対象とが、隣接している状態となるフレーム間隔であること、を特徴とするマルチディスプレイシステム。
【請求項３】
映像データを記憶する記憶部と、映像データを表示させる表示部と、前記記憶部から映像データを読み出して前記表示部に表示させるインタフェース回路部と、を備えたディスプレイ装置を複数備えるとともに、各前記ディスプレイ装置のインタフェース回路部に対して、前記複数のディスプレイ装置の前記表示部に表示させる映像を同期化するための制御信号を出力する同期化制御部と、を有し、
各前記ディスプレイ装置の前記記憶部メモリは、スクロール映像の表示対象全体の画像データを記憶し、
前記同期化制御部は、前記ディスプレイ装置の前記インタフェース回路部に対して、
前記スクロール映像のフレーム順に、前記記憶部に記憶した映像データの読み出し開始位置を指示する制御信号を順次送信し、
前記インタフェース回路部は、前記制御信号により指示された読み出し開始位置に従って映像データを前記記憶部から読み出して前記表示部に表示させ、
前記制御信号は、前記ディスプレイ装置間で、一定間隔離れた前記読み出し開始位置を指示する制御信号であること、を特徴とするマルチディスプレイシステム。
【請求項４】
請求項３に記載のマルチディスプレイシステムにおいて、
前記読み出し開始位置の間隔は、一つの前記ディスプレイ装置に表示させるスクロール映像の表示対象と、該一つの前記ディプレイ装置に並列配置された他の一つの前記ディスプレイに表示させるスクルール映像の表示対象とが、隣接している状態となる間隔であること、を特徴とするマルチディスプレイシステム。
【請求項５】
表示対象がスクロールされたスクロール映像を再生して出力するスクロール映像再生部と、該スクロール映像再生部で再生されたスクロール映像を入力して表示する複数のディスプレイ装置とを備えたマルチディスプレイシステムであって、
各前記ディスプレイ装置は、表示部と、映像データを記憶する記憶部と、該記憶部に対して映像データを一時記憶させ、所定の期間遅延させた後に前記映像データを読み出す記憶部アクセス調停部と、該記憶部アクセス調停部が読み出した映像データを外部に出力する映像出力部と、前記スクロール映像を外部から入力して前記表示部に出力するとともに、前記記憶部アクセス調停部に出力するインタフェース回路部と、を備え、
前記複数のディスプレイ装置が直列に接続され、各ディスプレイ装置は、前記スクロール映像再生部で再生されたスクロール映像を前記インタフェース回路部に入力して前記表示部に表示し、前記直列に接続された次のディスプレイ装置があれば、前記記憶部アクセス調停部により前記所定の期間遅延させた前記スクロール映像を、前記映像出力部から出力する、ことを特徴とするマルチディスプレイシステム。
【請求項６】
請求項５に記載のマルチディスプレイシステムにおいて、
前記スクロール映像により表示対象がスクロールするとき、前記スクロール映像を遅延させる所定の期間は、一つの前記ディスプレイ装置に表示させるスクロール映像の表示対象と、該一つのディスプレイ装置に並列配置された他の一つの前記ディスプレイに表示させるスクルール映像の表示対象とが、隣接している状態となる期間であること、を特徴とするマルチディスプレイシステム。
【請求項７】
請求項１に記載のマルチディスプレイシステムにおいて、
前記スクロール映像により表示対象がスクロールするとき、前記スクロール映像のフレーム間隔は、一つの前記ディスプレイ装置に表示させるスクロール映像の表示対象と、該一つのディスプレイ装置に並列配置された他の一つの前記ディスプレイ装置に表示させるスクルール映像の表示対象とが隣接している状態のフレーム間隔に対して、
前記並列配置されたディスプレイ装置間の前記表示部の額縁の幅だけスクロールが進行したときのフレームを加えたフレーム間隔であることを特徴とするマルチディスプレイシステム。
【請求項８】
請求項３に記載のマルチディスプレイシステムにおいて、
前記読み出し開始位置の間隔は、一つの前記ディスプレイ装置に表示させるスクロール映像の表示対象と、該一つのディスプレイ装置に並列配置された他の前記ディスプレイ装置に表示させるスクルール映像の表示対象とが、隣接している状態となる間隔に対して、
前記並列配置されたディスプレイ装置間の表示部の額縁の幅だけスクロールが進行したときのフレームを加えたフレーム間隔であること、を特徴とするマルチディスプレイシステム。
【請求項９】
請求項５に記載のマルチディスプレイシステムにおいて、
前記スクロール映像により表示対象がスクロールするとき、前記スクロール映像を遅延させる所定の期間は、一つの前記ディスプレイ装置に表示させるスクロール映像の表示対象と、該一つのディスプレイ装置に並列配置された他の前記ディスプレイ装置に表示させるスクルール映像の表示対象とが、隣接している状態となる期間に対して、
前記並列配置されたディスプレイ装置間の前記表示部の額縁の幅だけスクロールが進行したときの期間を加えた期間であること、を特徴とするマルチディスプレイシステム。
【請求項１０】
請求項１〜４のいずれか１に記載のマルチディスプレイシステムにおいて、前記ディスプレイ装置は、前記インタフェース回路部及び前記記憶部を備えたスクロール映像出力部と、前記表示部を備えたディスプレイ部とに分離されて構成されていることを特徴とするマルチディスプレイシステム。
【請求項１１】
請求項１〜４のいずれか１に記載のマルチディスプレイシステムと、ユーザの移動を補助するために移動する移動補助床とにより構成されるマルチディスプレイ視認システムであって、
前記移動補助床を駆動する動力を与える動力部と、該動力部による前記移動補助床の移動速度を調節するための制御信号を出力する速度調節部とを有し、前記移動補助床の移動方向に沿って、前記複数のディスプレイ装置が配列し、
前記同期化制御部は、前記速度調節部による速度制御に従って、前記ディスプレイにおける表示対象のスクロール速度を前記移動補助床の移動速度に一致させることを特徴とするマルチディスプレイ視認システム。
【請求項１２】
請求項１〜４のいずれか１に記載のマルチディスプレイシステムと、ユーザの移動を補助するために移動する移動補助床とにより構成されるマルチディスプレイ視認システムであって、
前記移動補助床を駆動する動力を与える動力部と、該動力部による前記移動補助床の移動速度を調節するための制御信号を出力する速度調節部とを有し、前記移動補助床の移動方向に沿って、前記複数のディスプレイ装置が配列し、
前記速度調節部は、前記同期化制御部から出力された制御信号に従って、前記ディスプレイにおける表示対象のスクロール速度に前記移動補助床の移動速度を一致させる制御を行うことを特徴とするマルチディスプレイ視認システム。
【発明の詳細な説明】
【技術分野】
【０００１】
本発明は、マルチディスプレイシステムおよびマルチディスプレイ視認システム、より詳細には、複数のディスプレイを隣接させて接続し、複数の画面全体で１つの映像を表示するマルチディスプレイシステムおよびマルチディスプレイ視認システムに関する。
【背景技術】
【０００２】
ディスプレイの分野では、複数のディスプレイを隣接させて接続するマルチディスプレイシステムが知られている。マルチディスプレイシステムを用いて、１つの映像の一部分を各ディスプレイに表示することで、複数の画面全体で１つの映像を拡大して表示することができる。すなわち、マルチディスプレイシステムは、複数の画面からなる大画面に１つの映像を表示することができるものである。
【０００３】
図１１は、従来のマルチディスプレイシステムの構成例を説明するための図である。従来のマルチディスプレイシステムでは、複数のディスプレイ（この例では３つ）１０２を並列させて配置する。ディスプレイ１０２は、レコーダ１０１等の外部機器とのインタフェースを実現するＩ／Ｆ回路１０３と、液晶ディスプレイなどの表示部１０４を備える。
そして静止画や動画からなる映像１００を３つの画面領域に分割して、分割した画面領域の映像データを一旦、各ディスプレイ１０２用に設けられたレコーダ１０１に蓄積し、蓄積した映像データを各ディスプレイ１０２の表示部１０４に表示させる。これにより、並列した複数のディスプレイ１０２により、ディスプレイ全体を一画面として入力映像を拡大して表示させることができる。
【０００４】
マルチディスプレイシステムでは、複数のディスプレイに表示した映像をスクロールするときには、複数のディスプレイが一画面として動作するように、各ディスプレイの画像が同期されて連携してスクロール表示される。
複数のディスプレイによる表示映像のスクロール処理に関して、例えば特許文献１には、複数画面を同時にスクロールする際に、スクロール事象の一括受付を行って各画面ごとに設けた処理部で同時スクロールするスクロール方式が開示されている。ここでは、スクロール操作に対応して発生するスクロール事象を１つの事象受付処理部により受け付けて、複数画面の同時スクロール対象と判明したときに、各画面の処理部にスクロール事象を通知する。そして各画面の処理部がスクロールを独立して同時に行う。これにより、ユーザは、複数の画面が同時にスクロールしているように見える。
【先行技術文献】
【特許文献】
【０００５】
【特許文献１】特開平０４−２５９０３４号公報
【発明の概要】
【発明が解決しようとする課題】
【０００６】
図１１に示すように、従来のマルチディスプレイシステムでは、ディスプレイ１０２に表示させる映像を各画面領域に応じて分割し、それぞれ分割した映像データを、表示させるディスプレイ１０２に対応して設けられているレコーダ１０１に記録させておく必要がある。マルチディスプレイを使用して、映像をスクロールさせて表示される場合でも同じ処理が必要となる。この場合、映像データの分割処理および記録処理は、手間がかかり煩雑である。
【０００７】
また、上記特許文献１に記載された技術は、複数のディスプレイを用いて映像をスクロール表示させる技術に関するものであるが、１つの映像の一部分を複数のディスプレイに表示することで、複数のディスプレイの画面全体で１つの映像を拡大して表示するマルチディルプレイシステムに関するものではない。
【０００８】
本発明は、上述した課題を鑑みてなされたものであり、１つの映像の一部分を複数のディスプレイに表示して複数のディスプレイの画面全体で１つの映像を拡大して表示する際に、予め映像を分割して保持させておく必要なく、簡易な操作を行うだけでマルチディスプレイによるスクロール表示を行うことができるようにした、マルチディスプレイシステムおよびマルチディスプレイ視認システムを提供することを目的とする。
【課題を解決するための手段】
【０００９】
上記課題を解決するために、本発明の第１の技術手段は、映像データを記憶する記憶部と、映像データを表示させる表示部と、前記記憶部から映像データを読み出して前記表示部に表示させるインタフェース回路部と、を備えたディスプレイ装置を複数備えるとともに、各前記ディスプレイ装置の前記インタフェース回路部に対して、前記複数のディスプレイ装置の前記表示部に表示させる映像を同期化するための制御信号を出力する同期化制御部と、を有し、各前記ディスプレイ装置の前記記憶部は、表示対象物が時間経過に従ってスクロールされる同じスクロール映像を記憶し、同期化制御部は、前記ディスプレイ装置の前記インタフェース回路部に対して、前記スクロール映像のフレーム順にフレーム位置を指示する制御信号を順次送信し、前記インタフェース回路部は、前記制御信号により指示されたフレーム位置の映像データを前記記憶部から読み出して前記表示部に表示させ、
前記制御信号は、前記ディスプレイ装置間で、前記スクロール映像のフレーム間隔が一定間隔離れた位置のフレーム位置を指示する制御信号であること、を特徴としたものである。
【００１０】
第２の技術手段は、第１の技術手段において、前記スクロール映像により表示対象がスクロールするとき、前記スクロール映像のフレーム間隔は、一つの前記ディスプレイ装置に表示させるスクロール映像の表示対象と、該一つのディスプレイ装置に並列配置された他の一つの前記ディスプレイ装置に表示させるスクロール映像の表示対象とが、隣接している状態となるフレーム間隔であること、を特徴としたものである。
【００１１】
第３の技術手段は、映像データを記憶する記憶部と、映像データを表示させる表示部と、前記記憶部から映像データを読み出して前記表示部に表示させるインタフェース回路部と、を備えたディスプレイ装置を複数備えるとともに、各前記ディスプレイ装置のインタフェース回路部に対して、前記複数のディスプレイ装置の前記表示部に表示させる映像を同期化するための制御信号を出力する同期化制御部と、を有し、各前記ディスプレイ装置の前記記憶部は、スクロール映像の表示対象全体の画像データを記憶し、前記同期化制御部は、前記ディスプレイ装置の前記インタフェース回路部に対して、前記スクロール映像のフレーム順に、前記記憶部に記憶した映像データの読み出し開始位置を指示する制御信号を順次送信し、前記インタフェース回路部は、前記制御信号により指示された読み出し開始位置に従って映像データを前記記憶部から読み出して前記表示部に表示させ、前記制御信号は、前記ディスプレイ装置間で、一定間隔離れた前記読み出し開始位置を指示する制御信号であること、を特徴としたものである。
【００１２】
第４の技術手段は、第３の技術手段において、前記読み出し開始位置の間隔は、一つの前記ディスプレイ装置に表示させるスクロール映像の表示対象と、該一つの前記ディプレイ装置に並列配置された他の一つの前記ディスプレイに表示させるスクルール映像の表示対象とが、隣接している状態となる間隔であること、を特徴としたものである。
【００１３】
第５の技術手段は、表示対象がスクロールされたスクロール映像を再生して出力するスクロール映像再生部と、該スクロール映像再生部で再生されたスクロール映像を入力して表示する複数のディスプレイ装置とを備えたマルチディスプレイシステムであって、各前記ディスプレイ装置は、表示部と、映像データを記憶する記憶部と、該記憶部に対して映像データを一時記憶させ、所定の期間遅延させた後に前記映像データを読み出す記憶部アクセス調停部と、該記憶部アクセス調停部が読み出した映像データを外部に出力する映像出力部と、前記スクロール映像を外部から入力して前記表示部に出力するとともに、前記記憶部アクセス調停部に出力するインタフェース回路部と、を備え、前記複数のディスプレイ装置が直列に接続され、各ディスプレイ装置は、前記スクロール映像再生部で再生されたスクロール映像を前記インタフェース回路部に入力して前記表示部に表示し、前記直列に接続された次のディスプレイ装置があれば、前記記憶部アクセス調停部により前記所定の期間遅延させた前記スクロール映像を、前記映像出力部から出力する、ことを特徴としたものである。
【００１４】
第６の技術手段は、第５の技術手段において、前記スクロール映像により表示対象がスクロールするとき、前記スクロール映像を遅延させる所定の期間は、一つの前記ディスプレイ装置に表示させるスクロール映像の表示対象と、該一つのディスプレイ装置に並列配置された他の一つの前記ディスプレイに表示させるスクルール映像の表示対象とが、隣接している状態となる期間であること、を特徴としたものである。
【００１５】
第７の技術手段は、第１の技術手段において、前記スクロール映像により表示対象がスクロールするとき、前記スクロール映像のフレーム間隔は、一つの前記ディスプレイ装置に表示させるスクロール映像の表示対象と、該一つのディスプレイ装置に並列配置された他の一つの前記ディスプレイ装置に表示させるスクルール映像の表示対象とが隣接している状態のフレーム間隔に対して、前記並列配置されたディスプレイ装置間の前記表示部の額縁の幅だけスクロールが進行したときのフレームを加えたフレーム間隔であることを特徴としたものである。
【００１６】
第８の技術手段は、第３の技術手段において、前記読み出し開始位置の間隔は、一つの前記ディスプレイ装置に表示させるスクロール映像の表示対象と、該一つのディスプレイ装置に並列配置された他の前記ディスプレイ装置に表示させるスクルール映像の表示対象とが、隣接している状態となる間隔に対して、前記並列配置されたディスプレイ装置間の表示部の額縁の幅だけスクロールが進行したときのフレームを加えたフレーム間隔であること、を特徴としたものである。
【００１７】
第９の技術手段は、第５の技術手段において、前記スクロール映像により表示対象がスクロールするとき、前記スクロール映像を遅延させる所定の期間は、一つの前記ディスプレイ装置に表示させるスクロール映像の表示対象と、該一つのディスプレイ装置に並列配置された他の前記ディスプレイ装置に表示させるスクルール映像の表示対象とが、隣接している状態となる期間に対して、前記並列配置されたディスプレイ装置間の前記表示部の額縁の幅だけスクロールが進行したときの期間を加えた期間であること、を特徴としたものである。
【００１８】
第１０の技術手段は、第１〜４のいずれか１の技術手段において、前記ディスプレイ装置は、前記インタフェース回路部及び前記記憶部を備えたスクロール映像出力部と、前記表示部を備えたディスプレイ部とに分離されて構成されていることを特徴としたものである。
【００１９】
第１１の技術手段は、第１〜４のいずれか１の技術手段によるマルチディスプレイシステムと、ユーザの移動を補助するために移動する移動補助床とにより構成されるマルチディスプレイ視認システムであって、前記移動補助床を駆動する動力を与える動力部と、該動力部による前記移動補助床の移動速度を調節するための制御信号を出力する速度調節部とを有し、前記移動補助床の移動方向に沿って、前記複数のディスプレイ装置が配列し、
前記同期化制御部は、前記速度調節部による速度制御に従って、前記ディスプレイにおける表示対象のスクロール速度を前記移動補助床の移動速度に一致させることを特徴としたものである。
【００２０】
第１２の技術手段は、第１〜４のいずれか１の技術手段のマルチディスプレイシステムと、ユーザの移動を補助するために移動する移動補助床とにより構成されるマルチディスプレイ視認システムであって、前記移動補助床を駆動する動力を与える動力部と、該動力部による前記移動補助床の移動速度を調節するための制御信号を出力する速度調節部とを有し、前記移動補助床の移動方向に沿って、前記複数のディスプレイ装置が配列し、前記速度調節部は、前記同期化制御部から出力された制御信号に従って、前記ディスプレイにおける表示対象のスクロール速度に前記移動補助床の移動速度を一致させる制御を行うことを特徴としたものである。
【発明の効果】
【００２１】
本発明によれば、１つの映像の一部分を複数のディスプレイに表示して複数のディスプレイの画面全体で１つの映像を拡大して表示する際に、予め映像を分割して保持させておく必要なく、簡易な操作を行うだけでマルチディスプレイによるスクロール表示を行うことができるようになる。
【図面の簡単な説明】
【００２２】
【図１】本発明によるマルチディスプレイシステムの第１の実施形態の要部構成を示す図である。
【図２】スクロール表示画像の例を説明するための図である。
【図３】本発明によるマルチディスプレイシステムの第２の実施形態におけるメモリ内の映像データを説明するための図である。
【図４】第２の実施形態におけるスクロール表示画像の例を説明するための図である。
【図５】本発明によるマルチディスプレイシステムの第３の実施形態の要部構成を示す図である。
【図６】第３の実施形態の構成におけるスクロール映像の遅延出力処理例を説明するための図である。
【図７】第３の実施形態の構成によるスクロール表示画像の例を説明するための図である
【図８】第４の実施形態における表示部の額縁に応じた表示映像のずれ量の調整処理を説明するための図である。
【図９】本発明によるマルチディスプレイシステムの第５の実施形態の要部構成を示す図である。
【図１０】本発明によるマルチディスプレイ視認システムの実施形態の構成例を説明するための図である。
【図１１】従来のマルチディスプレイシステムの構成例を説明するための図である。
【発明を実施するための形態】
【００２３】
（実施形態１）
図１は、本発明によるマルチディスプレイシステムの第１の実施形態の要部構成を示す図である。本実施形態に係るマルチディスプレイシステムは、３つのディスプレイ１０と、これら複数のディスプレイ１０における表示を同期させるための同期化回路２０とを有している。各ディスプレイ１０には、それぞれ映像データを保持するための記憶部であるメモリ１１と、メモリ１１から映像データを読み出して表示部１３に出力するインタフェース（Ｉ／Ｆ）回路１２と、Ｉ／Ｆ回路１２から出力された映像データを液晶パネルなどの画面に表示させる表示部１３とを備えている。上記ディスプレイ１０は本発明のディスプレイ装置に相当し、同期化回路２０は本発明の同期化制御部に相当し、インタフェース回路１２は本発明のインタフェース回路部に相当する。以下の実施形態でも同様とする。
また、本発明に係るマルチディスプレイシステムでは、複数のディスプレイ１０を備えることができるが、本実施形態および以下に示す各実施形態ではディスプレイ１０が３つあるものとして説明する。
【００２４】
本発明の実施形態に係るマルチディスプレイシステム１は、複数のディスプレイ１０を並列させて配置し、これら複数のディスプレイ１０の全体を１つの画面として、１つの映像データをスクロール表示させる。本実施形態では、全てのディスプレイ１０のメモリ１１に同じ映像データを記録させておくだけで、これらディスプレイ１０にスクロール画像を表示させることができる。
【００２５】
ここでは上記のように、各ディスプレイ１０のメモリ１１には、マルチディスプレイシステム１でスクロール表示させたい映像データを保持させておく。この映像データは、表示対象がスクロールされている映像を表すものである。各ディスプレイ１０のメモリ１１には、それぞれ同じ映像データを記録させる。つまり、１つの映像データを各ディスプレイ１０の表示領域ごとに分割して記録させる作業は必要がない。
同期化回路２０は、各ディスプレイ１０において、表示部１３に表示させる映像データのフレーム番号をＩ／Ｆ回路１２に指示する。つまり、各ディスプレイ１０で表示すべき映像データのフレーム番号が各ディスプレイ１０のＩ／Ｆ回路１２に同時に指示される。
【００２６】
各ディスプレイ１０のＩ／Ｆ１２は、同期化回路２０から指示されたフレーム番号の映像データをメモリ１１から読み出して、表示部１３に出力する。表示部１３ではＩ／Ｆ回路１２から出力された映像データを表示画面に表示させる。表示部１３には、映像データに映像処理して液晶パネルなどの表示画面に表示させるための図示しない映像信号処理部や表示制御部等が含まれている。
【００２７】
図２は、スクロール表示画像の例を説明するための図で、図２（Ａ）は、各ディスプレイ１０のメモリ１１に記憶させる映像データを示す図、図２（Ｂ）は各ディスプレイ１０に表示される映像を示す図である。
図２（Ａ）では、スクロール映像の時間的な推移を示している。このスクロール映像は、Ｓ１〜Ｓ１５に向かって時間的に進んでいく。ここでは、表示対象であるローマ字が右から左にスクロールされている状態を示す映像になっている。このような映像データが各ディスプレイ１０のメモリ１１に記録されているものとする。
【００２８】
図２（Ｂ）は、図２（Ａ）に示す映像データを使用してマルチディスプレイでスクロールさせる状態を示す図である。ディスプレイ（１）〜（３）は、本マルチディスプレイシステムを構成する３つのディスプレイ１０に相当し、各ディスプレイ１０の表示部１３に表示させる映像を、ｔ＝０，１，２・・による時間的な推移として示す。
【００２９】
この場合、同期化回路２０では、各ディスプレイ１０のＩ／Ｆ回路１２に指示する映像データのフレーム番号を、時間的に一定間隔空けたフレームのフレーム番号に設定する。ここでは、ローマ字のロゴが記録されている対象領域が右から左へスクールしているとき、ディスプレイ（１）に表示させるフレームの右側に隣接する領域が表示されるフレーム番号をディスプレイ（２）のＩ／Ｆ回路１２に指示し、さらにディスプレイ（２）のフレームの右側に隣接する領域が表示されるフレーム番号をディスプレイ（３）のＩ／Ｆ回路１２に指示する。これにより、並列して配置された３つのディスプレイ１０によって、メモリ１１に記憶されているスクロール画像の３倍の大きさの画像があたかも表示されているように見せることができる。
【００３０】
図２（Ｂ）に示す例では、同期化回路２０は、時間ｔ＝０において、ディスプレイ（１）に対してフレームＳ１のフレーム番号を指示し、ディスプレイ（２）に対してフレームＳ５のフレーム番号を指示し、ディスプレイ（３）に対してフレームＳ９のフレーム番号を指示する。
そしてｔ＝１，２・・と進んでいくに従って、各ディスプレイには、それぞれ次のフレーム番号を表示させるように指示する。
これにより、複数のディスプレイ１０を並列させたマルチディスプレイシステム１において、それぞれのディスプレイ１０のメモリ１１に同じスクロール画像を記録しておくだけで、全てのディスプレイ１０を一画面としたスクロール表示を行わせることができる。
【００３１】
（実施形態２）
本実施形態のシステム構成は図１の構成と同様であり、各ディスプレイ１０の記憶部であるメモリ１１に画像データを記憶させ、同期化回路２０からの指示に従って各Ｉ／Ｆ回路１２がメモリ１１から画像データを読み出して表示部１３に表示させる。
ここで上記第１の実施形態では、ディスプレイ１０のメモリ１１には表示対象（例えばローマ字のロゴ）が時間経過とともにスクロールされる動画像データを記憶させるものであったが、本実施形態では、ディスプレイ１０のメモリ１１には、スクロールの表示対象全体を示す映像データを静止画像データとして記録させておき、その映像データから一部分を切り出しながら表示を行うことでマルチディスプレイによるスクロール表示を実現する。
【００３２】
図３は、第２の実施形態におけるメモリ内の映像データを説明するための図である。メモリ１１に記憶させる画像データは、例えば図３に示すような映像データとする。映像データは、図示するような２次元のｘ、ｙ座標系に従って記録されているものとする。
同期化回路２０は、映像データの読み出しアドレス（ｘ座標およびｙ座標）を各ディスプレイ１０のＩ／Ｆ回路１２に指示する。ここでは、各ディスプレイ１０ごとに映像データの読み出し位置を異ならせることにより、並列させたディスプレイ１０の全体で一つのスクロール画像を表示させるようにする。
【００３３】
同期化回路２０が各Ｉ／Ｆ回路１２に指示する読み出しアドレスは以下のようになる。ここでは並列させた３つのディスプレイ１０を、順に左からディスプレイ（１）〜ディスプレイ（３）とするとき、読み出しアドレスのｘ座標は、
ディスプレイ（１）；  ｘ＝ａ×ｔ＋ｂ１
ディスプレイ（２）；  ｘ＝ａ×ｔ＋ｂ２
ディスプレイ（３）；  ｘ＝ａ×ｔ＋ｂ３
で表される。上記各式において、ａはスクロール速度、ｔは読み出し時間であり、ｂ１、ｂ２、ｂ３は各ディスプレイ１０における読み出し時のｘ座標のオフセットを表す。またｙ座標に対応する読み出しアドレスは、各ディスプレイ１０において同じにする。
【００３４】
上記の読みだしアドレスを映像データのｘ座標の読み出し開始位置として、時間ｔの経過に従って読み出し開始位置をｘ方向にずらしながら映像データを読み出していく。
映像データのｘ座標の読み出し終了位置は、一つのディスプレイ１０の表示部１３に表示させる画像範囲とする。このときオフセットｂ１、ｂ２、ｂ３は、３つのディスプレイ１０の表示部１３に表示させる画像が、全体として連続した画像になるように設定される。
つまり、読み出し位置の間隔が、一つのディスプレイ１０に表示させるスクロール映像の表示対象と、それに隣接して並列配置された他の一つのディスプレイ１０に表示させるスクロール映像の表示対象とが、映像データにおいて隣接している状態となる間隔となる。
【００３５】
図４は、第２の実施形態におけるスクロール表示画像の例を説明するための図で、図３に示す映像データを使用してマルチディスプレイでスクロールさせる状態を示す図である。ディスプレイ（１）〜（３）は、本マルチディスプレイシステムを構成する３つのディスプレイ１０に相当し、各ディスプレイ１０の表示部１３に表示させる映像を、ｔ＝０，１，２・・による時間的な推移として示す。
【００３６】
ここでは同期化回路２０による読み出しアドレスの指示に従って、各ディスプレイ１０のＩ／Ｆ回路１２がメモリ１１から映像データを切り出して読み出し、各表示部１３に表示させる。そして時間ｔ＝０からｔ＝１、２・・と推移していくに従ってａ×ｔずつ映像データの読み出し位置がｘ方向にシフトしていく。これにより、時間の経過に応じて、表示対象のローマ字のロゴが左方向に向かってシフトし、スクロール表示が可能となる。またここでは、３枚の並列する表示部１３の画面により、一つの連続した画像が表示されるようにオフセットｂ１、ｂ２、ｂ３が設定されているため、複数のディスプレイ１０により全体で一つの画面として違和感のないスクロール表示を行うことができる。
【００３７】
（実施形態３）
図５は、本発明によるマルチディスプレイシステムの第３の実施形態の要部構成を示す図である。本実施形態に係るマルチディスプレイシステムは、３つのディスプレイ１０と、これらディスプレイ１０に対してスクロール映像を再生して出力するスクロール映像再生部４０とを有している。
各ディスプレイ１０は、カスケード状に接続され、スクロール映像再生部４０から出力されるスクロール映像の映像データを順に下流のディスプレイ１０に送りながら、映像データの表示を行う。
【００３８】
各ディスプレイ１０は、メモリ１１、Ｉ／Ｆ回路３１、メモリアクセス調停部３２、映像出力回路３３、および表示部１３を備えている。Ｉ／Ｆ回路３１は、入力されるスクロール映像を受け取って表示部１３およびメモリアクセス調停部３２に出力する。メモリアクセス調停部は、本発明の記憶部アクセス調停部に相当するものである。表示部１３は、Ｉ／Ｆ回路３１から出力された映像データを液晶パネルなどのディスプレイに表示させる。
メモリアクセス調停部３２は、Ｉ／Ｆ回路３１から出力された映像データをメモリ１１に記憶させ、所定期間だけ遅延させて再度メモリ１１から読み出し、映像出力回路３３に出力する。
【００３９】
メモリ１１は、メモリアクセス調停部３２から出力された映像データを記憶する。映像出力回路３３は、隣に隣接して配置されたディスプレイ１０のＩ／Ｆ回路３１に対して、メモリアクセス調停部３２により遅延された映像データを出力する。なお、末端のディスプレイ１０（本例では右端のディスプレイ１０）では、メモリ１１、メモリアクセス調停部３２、および映像出力回路３３は機能していないため必要がないが、これらの構成があれば同じ構成のディスプレイ１０を適宜接続して用いることができ、またさらに下流側に他のディスプレイ１０をカスケード状に接続することできる。
【００４０】
図６は、第３の実施形態の構成におけるスクロール映像の遅延出力処理例を説明するための図である。入力映像データは、図示左側のディスプレイ（１）に入力されその表示部１３に表示される。そして順に遅延されながら、ディスプレイ（２）の表示部１３、ディスプレイ（３）の表示部１３に表示されるものとする。
図６では、各ディスプレイごとに、その表示部１３に表示される映像を示している。ここではディスプレイ（１）に入力される映像データは、対象物であるローマ字のロゴが右に向かってスクロールする動画像の映像データである。
【００４１】
ディスプレイ（１）では、入力された映像データはそのまま表示部１３に表示される。ここではフレームＳ１１、Ｓ１２、Ｓ１３・・・・の順に映像データが表示されていくものとする。
ディスプレイ（１）に入力された映像データは、ディスプレイ（１）のメモリ１１に記録された後、メモリアクセス調停部３２によって所定期間遅延され、ディスプレイ（１）の右側に配置されたディスプレイ（２）に出力される。遅延期間は、一つのディスプレイで映像データを表示するとき、映像データのスクロールによって、現在表示しているフレームの左側に隣接する同じ大きさの領域の映像が完全に表示されるまでの期間とする。つまり、スクロール映像を遅延させる所定の期間が、一つのディスプレイ１０に表示させるスクロール映像の表示対象と、それに隣接して並列配置された他の一つのディスプレイ１０に表示させるスクロール映像の表示対象とが、映像データにおいて隣接している状態となる期間となる。ここでは説明のためこの遅延期間を２フレーム分とする。
【００４２】
従って、ディスプレイ（２）の表示部１３では、ディスプレイ（１）の表示から２フレーム分遅延して表示が行われる。この例では、ディスプレイ（１）でフレームＳ１３が表示されるタイミングで、ディスプレイ（２）ではフレームＳ１１が表示され、以下時間を追ってディスプレイ（１）に対して２フレーム分遅れながらディスプレイ（２）における表示が行われる。
【００４３】
ディスプレイ（２）では、ディスプレイ（１）と同様に、入力された映像データをメモリ１１に記録した後、メモリアクセス調停部３２によって所定期間遅延し、ディスプレイ（２）の右側に配置されたディスプレイ（３）に出力する。遅延期間は、ディスプレイ（１）と同じ２フレーム分とする。従って、ディスプレイ（３）の表示部１３では、ディスプレイ（２）の表示から２フレーム分遅延して表示が行われる。
これにより２フレームずつ遅延した映像データが、３つのディスプレイ１０の表示部１３に一つの連続した映像として表示される。
【００４４】
図７は、上記の構成によるスクロール表示画像の例を説明するための図で、図６に示す映像データを使用してマルチディスプレイでスクロールさせる状態を示す図である。ディスプレイ（１）〜（３）は、本マルチディスプレイシステムを構成する３つのディスプレイ１０に相当し、各ディスプレイ１０の表示部１３に表示させる映像を、ｔ＝０，１，２・・による時間的な推移として示す。
【００４５】
ここでは、並列した３つのディスプレイ（１）〜（３）において、ディスプレイ（２）はディスプレイ（１）に対して２フレーム遅延し、ディスプレイ（３）はディスプレイ（１）に対して２フレーム遅延している。遅延量はスクロール速度に応じて調整され、隣接するディスプレイの表示画面が連続する映像となっているため、３つのディスプレイによって１画面の映像を表示することができる。
そしてディスプレイ（１）に入力する映像データはスクロール映像であるため、ディスディスプレイ（１）〜（３）の表示部１３には、ｔ＝０，１，２・・との時間的な進行に応じて、３つのディスプレイの表示部１３全体にスクロール画像を表示させることができる。
本実施形態の場合、スクロール映像のスクロール方向は、映像データが入力する上流側のディスプレイから下流側のディスプレイに向かう方向に制限される。
【００４６】
（実施形態４）
本発明に係る第４の実施形態では、ディスプレイ１０の表示部１３の額縁の大きさを考慮して、ディスプレイ間の映像のずれ量を調整して違和感のない表示を行わせるようにしている。
図８は、表示部の額縁に応じた表示映像のずれ量の調整処理を説明するための図である。額縁とは、表示部１３の構成において、液晶ディスプレイなどの表示パネルの周囲を保護するキャビネットなどの部材により表示パネルの周囲に形成される額縁状の領域を指す。額縁はベゼルなどとも呼ばれる。表示パネルに形成される額縁は、その大きさや幅が表示パネルによって異なる。
【００４７】
例えば図８（Ａ）の例では、表示部１３の額縁が狭く、ディスプレイ１０を並列させたときに、その表示部１３の表示画面の境界部分の額縁が狭いため、表示部１３の表示画面が近接して配置され、全体として違和感なく視認することができる。
一方図８（Ｂ）の例では、表示部１３の額縁が比較的大きいため、ディスプレイ１０を並列させたときに、その表示部１３の表示画面の境界部分における額縁幅が大きくなる。このため表示部１３の表示画面の間隔が開き、並列した表示部１３に表示させる映像に違和感が生じる。すなわち、本来並列したディスプレイ１０に表示させる映像データは、表示部１３の表示画面が接触配置されて一続きの画面を形成するときに、違和感のない連続した映像として視認できる。しかしながら表示画面間に額縁が存在すると、その分だけ表示画面が左右に拡大し、違和感が生じることになる。
そこで本実施形態では、図８（Ｃ）に示すように、額縁の大きさに応じて表示部１３に表示させる映像のずれ量を調整して補正する。この補正により、並列して配置するディスプレイ１０の表示部１３に額縁があっても、表示映像を違和感なく表示させることができる。
【００４８】
本実施形態により表示映像を補正する処理は、上記実施形態１〜３のいずれに対しても適用できる。
実施形態１に適用する場合、同期化回路２０が各ディスプレイ１０のＩ／Ｆ回路１２に対して映像データのフレーム番号を指示するときに、額縁分のずれ量を考慮して補正したフレーム番号を指示する。例えば、図２（Ａ）のスクロール映像のフレームＳ１を左端のディスプレイ（１）に表示させるとき、画像的にフレームＳ１に隣接する画像はフレームＳ５になるが、本実施形態では、さらに額縁の幅だけ左に移動した状態のフレーム（例えばフレームＳ６やＳ７）を隣接するディスプレイ（２）に指示する。ディスプレイ（３）に対しても同様のずれ量の補正を行う。
つまりスクロール映像のフレーム間隔は、一つのディスプレイ１０に表示させるスクロール映像の表示対象と、そのディスプレイ１０に並列配置された他の一つのディスプレイ１０に表示させるスクルール映像の表示対象とが隣接している状態のフレーム間隔に対して、並列配置されたディスプレイ１０間の表示部１３の額縁の幅だけスクロールが進行したときのフレームを加えたフレーム間隔とする。額縁分の補正量は、各表示部１３の額縁の幅とフレームごとの表示対象のスクロール量とから計算することができる。
【００４９】
また、実施形態２に適用する場合、同期化回路２０が各ディスプレイ１０のＩ／Ｆ回路１２に対して映像データの読み出しアドレス（ｘ座標）を指示するときに、額縁分のずれ量を考慮して補正した読み出しアドレスを指示する。例えば、図３に示すオフセットｂ１〜ｂ３を、額縁の幅を考慮して補正することにより、額縁の幅に応じてずれ量を付与することができる。
つまり読み出しアドレスの間隔は、一つのディスプレイ１０に表示させるスクロール映像の表示対象と、そのディスプレイ１０に並列配置された他のディスプレイ１０に表示させるスクルール映像の表示対象とが、隣接している状態となる間隔に対して、並列配置されたディスプレイ装置間の表示部１３の額縁の幅だけスクロールが進行したときのフレームを加えたフレーム間隔とする。
【００５０】
また、実施形態３に適用する場合、ディスプレイ１０のメモリアクセス調停部３２が映像データを遅延させて出力する際に、額縁分のずれ量を考量して遅延期間を補正する。
つまりスクロール映像により表示対象がスクロールするとき、スクロール映像を遅延させる所定の期間は、一つのディスプレイ１０に表示させるスクロール映像の表示対象と、そのディスプレイ１０に並列配置された他のディスプレイ１０に表示させるスクルール映像の表示対象とが、隣接している状態となる期間に対して、並列配置されたディスプレイ１０間の表示部１３の額縁の幅だけスクロールが進行したときの期間を加えた期間とする。額縁分の補正量は、額縁の幅とフレームごとの表示対象のスクロール量とから計算することができる。
【００５１】
（実施形態５）
図９は、本発明によるマルチディスプレイシステムの第５の実施形態の要部構成を示す図である。本実施形態のマルチディスプレイシステムは、実施形態１および実施形態２のマルチディスプレイシステムと同様の機能を実行することができる。実施形態１、２と本実施形態との構成の違いは、実施形態１、２のディスプレイ１０の機能が分離され、スクロール映像出力部５０とディスプレイ６０とにより構成したことにある。従って本実施形態のマルチディスプレイシステムは、スクロール映像出力部５０とディスプレイ６０とのセットが複数接続され、同期化回路２０による同期指示に従って映像データを表示する。
【００５２】
スクロール映像出力部５０は、同期化受信部１４が搭載される。実施形態１に対応する動作を行う場合、同期化回路２０から出力されたフレーム番号を指示する制御信号を受け取る。同期化回路２０は、独立した装置もしくはシステムとして構成することができ、同期化回路２０とスクロール映像出力部５０とは、ケーブルなどによる有線接続が可能であり、あるいはＷｉＦｉ（Wireless Fidelity）（登録商標）等の無線規格に基づく無線接続を可能とすることができる。
【００５３】
スクロール映像出力部５０の同期化受信部１４は、同期化回路２０から出力された制御信号を受信し、Ｉ／Ｆ回路１２に出力する。Ｉ／Ｆ回路１２は、制御信号により指示されたフレーム番号の映像データをメモリ１１から読み出す。メモリ１１には、スクロール映像データが記録されている。同期化回路２０からは、時間的に一定間隔空けたフレームのフレーム番号であって、複数のディスプレイ６０の表示部１３全体でスクロール表示が可能なフレーム番号が各スクロール映像出力部５０に指示される。
スクロール映像出力部５０のＩ／Ｆ回路１２は、メモリ１１から読み出したフレーム番号の映像データをディスプレイ６０のＩ／Ｆ回路１５に出力する。ディスプレイ６０のＩ／Ｆ回路１５は、受信した映像データを表示部１３に渡し、表示部１３にて表示させる。
【００５４】
また実施形態２に対応した動作を行う場合、各スクロール映像出力部５０のメモリ１１には、スクロールの対象物全体を示す映像データを静止画像データとして記録させておき、同期化回路２０は、映像データの読み出しアドレス（ｘ座標およびｙ座標）を各スクロール映像出力部５０の同期化受信部１４に指示する。読み出しアドレスでは、各スクロール映像出力部５０ごとに映像データの読み出し位置を異ならせることにより、並列させたディスプレイ６０の全体で一つのスクロール画像を表示させるようにする。
スクロール映像出力部５０のＩ／Ｆ回路１２は、メモリ１１から読み出したアドレス位置の映像データをディスプレイ６０のＩ／Ｆ回路１５に出力する。ディスプレイ６０のＩ／Ｆ回路１５は、受信した映像データを表示部１３に渡し、表示部１３にて表示させる。
【００５５】
本実施形態の構成によれば、スクロール映像出力部５０のメモリ１１に表示すべき映像データを記憶させておくことにより、スクロール映像出力部５０をディスプレイ６０に接続することで複数のディスプレイ６０を使用したスクロール表示が可能となる。この場合、個々のディスプレイに対して、映像データを記録させておく必要がなくなる。
【００５６】
（実施形態６）
図１０は、本発明によるマルチディスプレイ視認システムの実施形態の構成例を説明するための図である。本実施形態のマルチディスプレイ視認システムは、エスカレータやオートウォーク（動く歩道）のような、ユーザの移動を補助するシステムと、上記実施形態１〜４のいずれかのマルチディスプレイとを組み合わせることで実施することができる。
このシステムは、例えばデジタルサイネージに適用可能であり、ビルや通路の壁面、駅や空港、美術館等の公共の場所にマルチディスプレイを設置して、映像表示により広告や情報発信を行うための用途に適用することができる。
【００５７】
図１０の構成例は、オートウォークとして構成される移動補助床７２が設置された場所で、その移動補助床７２の側面の壁面にマルチディスプレイシステムのディスプレイ１０が設置されたものとされる。移動補助床７２は、動力部７１の駆動制御により矢印Ｍ方向に移動される。移動補助床７２の上にユーザが乗ると、移動補助床７２の動きに合わせてユーザが移動し、並列して配置されているディスプレイ１０を順に移動しながら視認することができる。
【００５８】
そして本実施形態では、移動補助床７２の移動速度に合わせて速度調整部７０による速度を調整することで、移動補助床７２に乗ったユーザの視点に合わせてスクロール表示を行わせる。ここでは移動補助床７２の移動速度は、速度調整部７０からの制御信号が動力部７１に入力されることで制御される。そして速度調整部７０は、移動補助床の移動速度と、ディスプレイ１０におけるスクロール速度（表示対象物の移動速度）が一致するように、制御信号を同期化回路２０に出力する。
【００５９】
同期化回路２０は、速度調整部７０から出力された制御信号に基づいて、ディスプレイ１０に表示させる表示のスクロール速度を調整する。
この場合実施形態１の構成のマルチディスプレイシステムを適用する場合には、同期化回路２０は、各ディスプレイ１０のメモリに保持させているスクロール映像データからの読み出しと表示期間のタイミングを制御し、ディスプレイ１０におけるスクロールの速度と、移動補助床の移動速度とが合うように制御する。この場合、フレーム間における表示対象のローマ字等のスクロール量が既知である必要がある。
また、実施形態２の構成のマルチディスプレイシステムを適用する場合には、ディスプレイの１０のメモリに保持されている映像データの読み出しと表示期間のタイミングとを制御し、ディスプレイ１０におけるスクロール速度と、移動補助床７２の移動速度が合うように制御する。
【００６０】
また、上記の各実施形態のマルチディスプレイの他、実施形態４に記載された表示部１３の額縁を考慮したスクロール制御、および実施形態５に記載されたたディスプレイ機能の分離、に係る構成についても上記マルチディスプレイ視認システムとして適用することができる。
【００６１】
また上記実施形態では、同期化回路２０が、速度調整部７０から出力された制御信号に基づいてディスプレイ１０のスクロール速度を制御しているが、同期化回路２０から出力された制御信号に基づいて速度調整部７０が移動補助床７２の移動速度を制御してもよい。この場合、同期化回路２０は、ディスプレイ１０における表示対象のスクロール速度に応じた制御信号を速度調整部７０に出力する。速度調整部７０は、その制御信号を用いて、ディスプレイ１０におけるスクロール速度と、移動補助床７２の移動速度が一致するように、動力部７１を制御する。これにより、移動補助床７２に乗ったユーザの移動速度に合わせてマルチディスプレイの表示映像がスクロール移動していくことになり、ユーザは移動しながら同じ画面を視認し続けることができるようになる。
【００６２】
なお上記の各実施形態に記載されている技術的特徴はお互いに組み合わせ可能であり、組み合わせることにより新しい技術的特徴を形成することができる。
【符号の説明】
【００６３】
１０…ディスプレイ、１１…メモリ、１２…インタフェース回路、１３…表示部、１４…同期化受信部、１５…インタフェース回路、２０…同期化回路、３１…インタフェース回路、３２…メモリアクセス調停部、３３…映像出力回路、４０…スクロール映像再生部、５０…スクロール映像出力部、６０…ディスプレイ、７０…速度調整部、７１…動力部、７２…移動補助床、１００…映像、１０１…レコーダ、１０２…ディスプレイ、１０３…インタフェース回路、１０４…表示部。
【図１】
2015200701.tif 000003
【図２】
2015200701.tif 000004
【図３】
2015200701.tif 000005
【図４】
2015200701.tif 000006
【図５】
2015200701.tif 000007
【図６】
2015200701.tif 000008
【図７】
2015200701.tif 000009
【図８】
2015200701.tif 000010
【図９】
2015200701.tif 000011
【図１０】
2015200701.tif 000012
【図１１】
2015200701.tif 000013